(57)【要約】【課題】別部品を用いることなく振動による異音発生を防止し、部品費および組立費を削減して、製品の小型化を図る。【解決手段】シャッタ４の一端側および取り付け面３のいずれか一方に設けられた軸部４１と、シャッタ４の一端側および取り付け面３の他方に設けられ、軸部４１を嵌め込んで支持する軸受け部３４とを備え、軸部４１および軸受け部３４は、軸方向に垂直な断面がそれぞれ非真円形状であり、シャッタ４が取り付け面３に対して閉じた位置にあるとき、軸部４１の周面と軸受け部３４の内周面とが部分的に圧接してシャッタ４を取り付け面３側へ付勢するように、軸部４１の軸方向に垂直な断面と軸受け部３４の軸方向に垂直な断面とが軸心周りになす角度に角度差を設けた。【選択図】図５
2012216249.tif 000002
【特許請求の範囲】
【請求項１】
シャッタの一端側が回動自在に取り付け面に支持され、当該シャッタが回動により前記取り付け面に対して開閉するシャッタ開閉機構において、
前記シャッタの一端側および前記取り付け面のいずれか一方に設けられた軸部と、
前記シャッタの一端側および前記取り付け面の他方に設けられ、前記軸部を嵌め込んで支持する軸受け部とを備え、
前記軸部および前記軸受け部は、軸方向に垂直な断面がそれぞれ非真円形状であり、
前記シャッタが前記取り付け面に対して閉じた位置にあるとき、前記軸部の周面と前記軸受け部の内周面とが部分的に圧接して前記シャッタを前記取り付け面側へ付勢するように、前記軸部の軸方向に垂直な断面と前記軸受け部の軸方向に垂直な断面とが軸心周りになす角度に角度差を設けた
ことを特徴とするシャッタ開閉機構。
【請求項２】
前記軸部および前記軸受け部は、軸方向に垂直な断面がそれぞれ長円形状である
ことを特徴とする請求項１記載のシャッタ開閉機構。
【請求項３】
前記軸受け部は、前記シャッタの回動に応じて前記軸部から押圧されて弾性変形することにより、前記軸部を介して当該シャッタを回動自在に前記取り付け面に支持する
ことを特徴とする請求項１または請求項２記載のシャッタ開閉機構。
【発明の詳細な説明】
【技術分野】
【０００１】
この発明は、シャッタの一端側が回動自在に取り付け面に支持され、当該シャッタが回動により取り付け面に対して開閉するシャッタ開閉機構に関するものである。
【背景技術】
【０００２】
従来から、カーナビゲーションシステムやカーオーディオ等の機器には、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）やＳＤ（Ｓｅｃｕｒｅ  Ｄｉｇｉｔａｌ）カード等の各種メディアを差し込むための差し込み口が設けられている。
また近年では、ＳＤカード等のフラッシュメモリの大容量化・低価格化に伴い、地図データの保存先がハードディスクからＳＤカードに変わってきている。そのため、上記機器には、地図データ用ＳＤカードの差し込み口も設けられている。
【０００３】
一方、地図データ用ＳＤカードは、頻繁に取り外しを行うものではなく、例えば年度ごと等、地図更新を行う際にのみ取り外しを行う。そのため、地図データ用ＳＤカードをその他のＳＤカードと間違って取り外すことがないように、不使用時に地図データ用ＳＤカードの差し込み口を覆うシャッタが取り付けられている。
【０００４】
また、車載用機器に取り付けられたシャッタに対して、シャッタを取り付け面に対して閉じた位置にあるとき（閉状態）、車両走行時の振動による異音発生を防止するシャッタ開閉機構が採用されている（例えば特許文献１参照）。この特許文献１に開示されたシャッタ開閉機構では、シャッタとシャッタ受け部との間にバネを組み込むことで、シャッタが閉状態のとき、シャッタをシャッタ受け部側に付勢している。これにより、車両走行時の振動によるビビリの発生を抑制し、異音の発生を防止することができる。
【先行技術文献】
【特許文献】
【０００５】
【特許文献１】特開２００３−３４１４３３号公報
【発明の概要】
【発明が解決しようとする課題】
【０００６】
しかしながら、特許文献１に開示された従来のシャッタ開閉機構では、振動による異音発生を防止するために、別部品であるバネを用いている。そのため、シャッタ開閉機構を構成する際の部品費および組立費が増加してしまうという課題があった。また、別部品を組み込むスペースも必要となるため、製品の小型化が難しくなるという課題もあった。
【０００７】
この発明は、上記のような課題を解決するためになされたもので、別部品を用いることなく振動による異音発生を防止し、部品費および組立費を削減することができ、製品の小型化を図ることができるシャッタ開閉機構を提供することを目的としている。
【課題を解決するための手段】
【０００８】
この発明に係るシャッタ開閉機構は、シャッタの一端側および取り付け面のいずれか一方に設けられた軸部と、シャッタの一端側および取り付け面の他方に設けられ、軸部を嵌め込んで支持する軸受け部とを備え、軸部および軸受け部は、軸方向に垂直な断面がそれぞれ非真円形状であり、シャッタが取り付け面に対して閉じた位置にあるとき、軸部の周面と軸受け部の内周面とが部分的に圧接してシャッタを取り付け面側へ付勢するように、軸部の軸方向に垂直な断面と軸受け部の軸方向に垂直な断面とが軸心周りになす角度に角度差を設けたものである。
【発明の効果】
【０００９】
この発明によれば、上記のように構成したので、別部品を用いることなく振動による異音発生を防止し、部品費および組立費を削減することができ、製品の小型化を図ることができる。
【図面の簡単な説明】
【００１０】
【図１】この発明の実施の形態１におけるシャッタを有するオーディオ・ナビ一体機の構成を示す図である。
【図２】この発明の実施の形態１におけるシャッタが閉状態の場合を示す図である。
【図３】この発明の実施の形態１におけるシャッタが開状態の場合を示す図である。
【図４】この発明の実施の形態１に係るシャッタ開閉機構の構成を示す図であり、（ａ）正面図であり、（ｂ）図４（ａ）のＡ−Ａ線断面図である。
【図５】この発明の実施の形態１に係るシャッタ開閉機構によるシャッタの付勢を説明する図４（ｂ）のＢ部拡大断面図である。
【発明を実施するための形態】
【００１１】
以下、この発明の実施の形態について図面を参照しながら詳細に説明する。
実施の形態１．
オーディオ・ナビ一体機は、図１〜３に示すように、本体部１と、本体部１の前面側に配置され、回動しながら前方に開閉可能なメインパネル２とから構成されている。
このメインパネル２には、地図表示や映像表示を行うモニタ２１と、ユーザがオーディオ・ナビ一体機を操作するための各種操作ボタン２２とが設けられている。また、本体部１の前面には、メインパネル２が開くことにより外部に露出されるサブパネル３が設けられている。
【００１２】
このサブパネル３の所定位置には、ＣＤやＤＶＤ等のディスクを差し込むためのディスク差し込み口３１と、ＳＤカード等のカードを差し込むためのカード差し込み口３２とが設けられている。なお、カード差し込み口３２に差し込まれるＳＤカードは、ユーザがある程度の頻度で取り外しを行う音楽用や映像用等のＳＤカードを想定している。
また、サブパネル３には、図３に示すように、地図データ用のＳＤカードを差し込むためのカード差し込み口３３も設けられている。この地図データ用ＳＤカードは、頻繁に取り外しを行うものではなく、例えば年度ごと等、地図更新を行う際にのみ取り外しを行う。
【００１３】
そして、サブパネル３上のカード差し込み口３３が形成された部分（取り付け面）には、地図データ用ＳＤカードをその他のＳＤカードと間違って取り外すことがないように、不使用時にカード差し込み口３３を覆うシャッタ４が取り付けられている。
なお、ユーザが地図更新を行う際には、シャッタ４を開いてカード差し込み口３３を露出させて、地図データ用ＳＤカードの交換を行う。
【００１４】
次に、上記のようにサブパネル３に取り付けられたシャッタ４を開閉するシャッタ開閉機構について説明する。
図３〜５に示すように、シャッタ４の背面下端には、サブパネル３からシャッタ４を回動させながら前方に開閉するための軸部４１が、左右両端から外側に突出して形成されている。この軸部４１の軸方向に垂直な断面（軸面）は非真円形状（例えば長円形状）に形成されている。
また、図５に示すように、軸部４１は、軸面の長軸方向がシャッタ面の鉛直方向に対してシャッタ４側に傾いている。これにより、シャッタ４が閉状態のとき、軸部４１の軸面の長軸方向と、後述する係合部３４ａの開口面の長軸方向とがなす角度に角度差（傾き角ａ）を設けることができる。なお図５は、シャッタ４が閉状態のときの軸部４１と、軸部４１による押圧力が加えられていない状態での軸受け３４との位置関係を示した図である。
【００１５】
また、サブパネル３の背面には、軸部４１を嵌め込んで支持する係合部３４ａを有する軸受け部３４が形成されている。この係合部３４ａの軸方向に垂直な断面（開口面）は非真円形状（例えば長円形状）に形成されている。また、軸受け部３４の背面側には切り欠き部３４ｂが形成されている。
そして、軸部４１を、軸受け部３４の背面側から切り欠き部３４ｂを介して係合部３４ａに挿入することで、シャッタ４をサブパネル３に組み付ける。
【００１６】
上記のようにシャッタ開閉機構を構成することで、図５に示すように、シャッタ４が閉状態のとき、係合部３４ａの開口面の長軸方向に対して軸部４１の軸面の長軸方向がシャッタ開方向に傾き、軸部４１の周面と軸受け部３４の内周面とが部分的に圧接する。これにより、軸受け部３４に軸部４１を右回りに回転させる力Ｆが発生し、シャッタ４をサブパネル３側に付勢する力ｂが発生する。そのため、バネ等の別部品を用いることなく、車両走行時の振動によるビビリを防止することができ、異音発生を防止することができる。
【００１７】
また、軸受け部３４の背面側に切り欠き部３４ｂが形成されているため、軸受け部３４は、シャッタ４の回動に応じて軸部４１により押圧された際に弾性変形することができ、軸部４１を介してシャッタ４を回動自在にサブパネル３に支持することができる。
なお、軸部４１の軸面の形状や傾き角、係合部３４ａの開口面の形状や切り欠き部３４ｂの開口寸法等は、シャッタ４の大きさ等により適宜変更可能である。
【００１８】
以上のように、この実施の形態１によれば、シャッタ４に軸面が非真円形状の軸部４１を形成し、サブパネル３に開口面が非真円形状であり、軸部４１を嵌め込んで支持する係合部３４ａを有する軸受け部３４を形成し、シャッタ４が閉状態のとき、係合部３４ａの開口面の長軸方向に対して軸部４１の軸面の長軸方向をシャッタ開方向に傾けて軸部４１の周面と軸受け部３４の内周面とを部分的に圧接させることで、シャッタ４をサブパネル３側へ付勢するように構成したので、バネ等の別部品を用いることなく、シャッタ４が閉状態のとき、振動によるビビリを防止することができ、異音発生を防止することができる。また、別部品を用いないため、部品点数の削減による部品費および組立費の削減、製品の小型化や組立時間の削減を図ることができる。
【００１９】
なお、実施の形態１では、シャッタ４が閉状態のとき、係合部３４ａの開口面の長軸方向に対して軸部４１の軸面の長軸方向をシャッタ開方向に傾けて軸部４１の周面と軸受け部３４の内周面とを部分的に圧接させる場合について示したが、軸部４１の軸面の長軸方向に対して係合部３４ａの開口面の長軸方向をシャッタ閉方向に傾けて軸部４１の周面と軸受け部３４の内周面とを部分的に圧接させるようにしてもよく、同様の効果を得ることができる。
また、実施の形態１では、シャッタ４に軸部４１を形成し、サブパネル３に軸受け部３４を形成したが、サブパネル３に軸面が非真円形状の軸部を形成し、シャッタ４に開口面が非真円形状であり、この軸部を嵌め込んで支持する係合部を有する軸受け部を形成してもよく、同様の効果を得ることができる。
【００２０】
また、実施の形態１では、シャッタ４の両端に軸面が非真円形状の軸部４１を形成した場合について示したが、シャッタ４の両端のうち一方のみを軸面が非真円形状の軸部４１とし、他方は、軸面が真円形状の軸部としてもよい。なおこの場合、サブパネル３は、軸面が非真円形状の軸部４１を嵌め込んで支持する係合部３４ａの開口面は非真円形状とし、軸面が真円形状の軸部を嵌め込んで支持する係合部の開口面は真円形状とする。
また、実施の形態１では、サブパネル３の背面側に軸受け部３４を形成する場合について示したが、サブパネル３の前面側に軸受け部３４をメインパネル２側に突出させて形成するようにしてもよい。
【００２１】
また、実施の形態１では、地図データ用ＳＤカードとその他（音楽用や映像用等）のＳＤカードとの取り間違いを防止するためのシャッタ４に対するシャッタ開閉機構について示したが、これに限るものではなく、その他の用途（例えば防塵や異物侵入の防止等）を目的としたシャッタに対するシャッタ開閉機構についても同様に適用可能である。
また、実施の形態１では、車両用のオーディオ・ナビ一体機に取り付けられたシャッタ４に対するシャッタ開閉機構について示したが、これに限るものではなく、その他の取り付け面に取り付けられたシャッタに対するシャッタ開閉機構についても同様に適用可能である。
【００２２】
また、本願発明はその発明の範囲内において、実施の形態の任意の構成要素の変形、もしくは実施の形態の任意の構成要素の省略が可能である。
【符号の説明】
【００２３】
１  本体部、２  メインパネル、３  サブパネル（取り付け面）、４  シャッタ、２１  モニタ、２２  操作ボタン、３１  ディスク差し込み口、３２，３３  カード差し込み口、３４  軸受け部、３４ａ  係合部、３４ｂ  切り欠き部、４１  軸部。
【図１】
2012216249.tif 000003
【図２】
2012216249.tif 000004
【図３】
2012216249.tif 000005
【図４】
2012216249.tif 000006
【図５】
2012216249.tif 000007